【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
ウェブ印刷システムであって、
媒体ウェブを前記ウェブ印刷システム内でプロセス方向へ動かすように構成される媒体輸送システムと、
前記媒体ウェブの幅に渡ってプロセス横断方向に延びる複数のインクジェットを有する少なくとも１つのプリントヘッドと、を備え、前記プロセス横断方向は、前記媒体ウェブの平面内で前記プロセス方向に対して垂直であり、前記プリントヘッドは、前記媒体ウェブが前記プロセス方向に移動するにつれて前記複数のインクジェットから前記媒体ウェブ上へインク滴を噴出するように構成され、
前記ウェブ印刷システムはさらに、
前記媒体ウェブ上にマーキングされた第１のポジション、前記媒体ウェブ上にマーキングされたセンタポジション、および前記媒体ウェブ上にマーキングされた第２のポジションを検出するように配置された複数の密着イメージセンサと、
前記媒体輸送システム、前記少なくとも１つのプリントヘッド、および前記複数の密着イメージセンサへ機能的に接続されるコントローラと、を備え、
前記コントローラは、
前記ウェブ印刷システム内で前記媒体ウェブを移動させるべく前記媒体輸送システムを作動し、
前記媒体ウェブが前記ウェブ印刷システム内で前記プロセス方向に移動するにつれて前記媒体ウェブ上へインクを噴出して前記第１のポジション、前記センタポジション、および前記第２のポジションを前記媒体ウェブ上にマーキングすべく、前記少なくとも１つのプリントヘッドを作動するように構成され、前記媒体ウェブ上にマーキングされた前記第１のポジションと前記媒体ウェブ上にマーキングされた前記第２のポジションとは、前記媒体ウェブ上にマーキングされた前記センタポジションから前記プロセス横断方向に等しく離隔され、
前記コントローラはさらに、
前記媒体ウェブ上にマーキングされた前記第１のポジション、前記媒体ウェブ上にマーキングされた前記センタポジション、および前記媒体ウェブ上にマーキングされた前記第２のポジションに対応する画像データを生成すべく前記光学複数の密着イメージセンサを作動し、
前記センタポジションに対応する画像データおよび前記第１のポジションに対応する画像データを参照して、前記プロセス横断方向における前記媒体ウェブ上での第１の距離を識別し、
前記センタポジションに対応する画像データおよび前記第２のポジションに対応する画像データを参照して、前記プロセス横断方向における前記媒体ウェブ上での第２の距離を識別するように構成され、前記第１のポジションに対応する画像データと前記第２のポジションに対応する画像データとは異なるものであり、
前記コントローラはさらに、
前記第１の距離と第１の予め決められた距離との間の第１の差、および前記第２の距離と第２の予め決められた距離との間の第２の差を測定し、
前記第１の距離が前記第１の予め決められた距離より短いことに応答して、前記媒体ウェブにおける皺の位置を前記センタポジションの内側として識別し、かつ、前記第２の距離が前記第２の予め決められた距離より短いことに応答して、前記皺の位置を前記センタポジションの外側として識別するように構成される、
ウェブ印刷システム。
【請求項２】
前記複数の密着イメージセンサは、さらに、
前記媒体ウェブ上にマーキングされた前記第１のポジションを検出するように位置合わせされる第１のセンサと、
前記媒体ウェブ上にマーキングされた前記センタポジションを検出するように位置合わせされる第２のセンサと、
前記媒体ウェブ上にマーキングされた前記第２のポジションを検出するように位置合わせされる第３のセンサとを備える、請求項１に記載のウェブ印刷システム
【請求項３】
スプレッダローラ、および前記スプレッダローラと共にニップを形成する加圧ローラとをさらに備え、前記ニップは、前記媒体ウェブが前記ニップを通過するにつれて前記媒体ウェブに圧力を加えるように構成され、
前記コントローラは、さらに、
前記媒体ウェブ内の前記皺の前記識別された位置に応答して、オペレータを促して前記スプレッダローラに対する前記加圧ローラの負荷を調整させるように構成される、請求項１に記載のウェブ印刷システム。
【請求項４】
前記コントローラは、さらに、
本ウェブ印刷システム内で前記媒体ウェブが移動するにつれて、前記媒体ウェブ上の前記第１のポジション、前記媒体ウェブ上の前記センタポジション、および前記媒体ウェブ上の前記第２のポジションを前記媒体ウェブの文書間エリア上にマーキングすべく前記少なくとも１つのプリントヘッドを作動するように構成される、請求項１に記載のウェブ印刷システム。
【請求項５】
ウェブ印刷システムであって、
媒体ウェブを前記ウェブ印刷システム内でプロセス方向へ動かすように構成される媒体輸送システムと、
前記媒体ウェブの幅に渡ってプロセス横断方向に延びる複数のインクジェットを有する少なくとも１つのプリントヘッドと、を備え、前記プロセス横断方向は、前記媒体ウェブの平面内で前記プロセス方向に対して垂直であり、前記プリントヘッドは、前記媒体ウェブが前記プロセス方向に移動するにつれて前記複数のインクジェットから前記媒体ウェブ上へインク滴を噴出するように構成され、
前記ウェブ印刷システムはさらに、
前記媒体ウェブ上にマーキングされた第１のポジション、前記媒体ウェブ上にマーキングされたセンタポジション、および前記媒体ウェブ上にマーキングされた第２のポジションを検出するように配置された複数の密着イメージセンサと、
前記媒体輸送システム、前記少なくとも１つのプリントヘッド、および前記複数の密着イメージセンサへ機能的に接続されるコントローラと、を備え、
前記コントローラは、
前記ウェブ印刷システム内で前記媒体ウェブを移動させるべく前記媒体輸送システムを作動し、
前記媒体ウェブが前記ウェブ印刷システム内で前記プロセス方向に移動するにつれて前記媒体ウェブ上へインクを噴出して前記第１のポジション、前記センタポジション、および前記第２のポジションを前記媒体ウェブ上にマーキングすべく、前記少なくとも１つのプリントヘッドを作動するように構成され、前記媒体ウェブ上にマーキングされた前記第１のポジションと前記媒体ウェブ上にマーキングされた前記第２のポジションとは、前記媒体ウェブ上にマーキングされた前記センタポジションから前記プロセス横断方向に等しく離隔され、
前記コントローラはさらに、
前記媒体ウェブ上にマーキングされた前記第１のポジション、前記媒体ウェブ上にマーキングされた前記センタポジション、および前記媒体ウェブ上にマーキングされた前記第２のポジションに対応する画像データを生成すべく前記複数の密着イメージセンサを作動し、
前記センタポジションに対応する画像データおよび前記第１のポジションに対応する画像データを参照して、前記プロセス横断方向における前記媒体ウェブ上での第１の距離を連続的に識別し、
前記センタポジションに対応する画像データおよび前記第２のポジションに対応する画像データを参照して、前記プロセス横断方向における前記媒体ウェブ上での第２の距離を連続的に識別するように構成され、前記第１のポジションに対応する画像データと前記第２のポジションに対応する画像データとは異なるものであり、前記第１の距離および前記第２の距離の前記識別は、前記複数の密着イメージセンサが前記媒体ウェブ上の少なくとも１つのトップオブフォーム（ＴＯＦ）マークを検出したことに応答して実施され、
前記コントローラはさらに、
前記第１の距離と第１の予め決められた距離との間の第１の差、および前記第２の距離と第２の予め決められた距離との間の第２の差を測定し、
前記第１の差および前記第２の差を参照して、前記媒体ウェブにおける皺の位置を識別するように構成される、
ウェブ印刷システム。
【請求項６】
前記複数の密着イメージセンサは、さらに、
前記媒体ウェブ上にマーキングされた前記第１のポジションを検出するように位置合わせされる第１のセンサと、
前記媒体ウェブ上にマーキングされた前記センタポジションを検出するように位置合わせされる第２のセンサと、
前記媒体ウェブ上にマーキングされた前記第２のポジションを検出するように位置合わせされる第３のセンサとを備える、請求項５に記載のウェブ印刷システム。
【請求項７】
スプレッダローラ、および前記スプレッダローラと共にニップを形成する加圧ローラとをさらに備え、前記ニップは、前記媒体ウェブが前記ニップを通過するにつれて前記媒体ウェブに圧力を加えるように構成され、
前記コントローラは、さらに、
前記媒体ウェブ内の前記皺の前記識別された位置に応答して、オペレータを促して前記スプレッダローラに対する前記加圧ローラの負荷を調整させるように構成される、請求項５に記載のウェブ印刷システム。
【請求項８】
前記コントローラは、さらに、
本ウェブ印刷システム内で前記媒体ウェブが移動するにつれて、前記媒体ウェブ上の前記第１のポジション、前記媒体ウェブ上の前記センタポジション、および前記媒体ウェブ上の前記第２のポジションを前記媒体ウェブの文書間エリア上にマーキングすべく前記少なくとも１つのプリントヘッドを作動するように構成される、請求項５に記載のウェブ印刷システム。